(57)【要約】【課題】装飾物の配列および固定が比較的容易で、光源が目立たず、組み立てやすいアクアドーム用の容器１０およびアクアドームを提供する。【解決手段】天板の下面に光源Ｋが取り付けられる基台１１と、その基台に液密に嵌合されるカップ状の透明なドーム１２と、基台１１に配置され、上面に装飾物が取り付けられる透明の支持板１４とからなり、前記基台１１の天板の少なくとも前記光源１３と対応する部分が光透過性を有するアクアドームの容器１０。この容器１０の支持板１４に紫外線硬化型樹脂で固定された装飾物およびドーム１２内に封入された液体とからなるアクアドーム。【選択図】図１
2019013360.tif 000002
【特許請求の範囲】
【請求項１】
天板の下面に上向きに照射する光源が取り付けられる基台と、
その基台に液密に嵌合されるカップ状の透明なドームと、
基台上に配置され、上面に装飾物が取り付けられる透明の支持板とからなり、
前記基台の天板の少なくとも前記光源と対応する部分が光透過性を有する、
アクアドーム用の容器。
【請求項２】
前記基台が透明であり、前記支持板と基台の天板の間に、前記光源と対応する部分が透光性を有し、他の部分が不透明なシートが介在されている、請求項１記載のアクアドームの容器。
【請求項３】
前記シートの不透明な部分の上面側が光反射性を有する請求項２記載のアクアドームの容器。
【請求項４】
前記支持板が、基台の天板に形成された穴に嵌入される、支持板と一体または別体の複数本のピンによって基台に対し着脱自在に取り付けられている、請求項１〜３のいずれかに記載のアクアドーム用の容器。
【請求項５】
前記ドームの下端の外周面または内周面に係合突起が設けられ、前記基台の対応する部位に、ドームを回転させることにより係合突起と係合する係合溝が形成されており、
前記ドームの下端と基台の間に、円周方向にずれないようにシールリングが取り付けられている請求項１〜４のいずれかに記載のアクアドーム用の容器。
【請求項６】
前記基台の天板に複数の係止溝が形成され、前記シールリングがそれらの係止溝と嵌合する係止片を備えている請求項５記載のアクアドーム用の容器。
【請求項７】
請求項１〜６のいずれかのアクアドーム用の容器と、支持板に固定される装飾物と、ドームと基台とで囲まれる空間に充填される液体とからなるアクアドーム。
【請求項８】
前記装飾物が支持板に紫外線硬化樹脂によって接着されている請求項７記載のアクアドーム。
【請求項９】
前記光源が基台の裏面に紫外線硬化樹脂によって接着されている請求項７または８記載のアクアドーム。
【発明の詳細な説明】
【技術分野】
【０００１】
本発明はアクアドーム用の容器およびその容器を用いたアクアドームに関し、とくに光源を備えたアクアドームに用いられるアクアドーム用の容器およびその容器を用いたアクアドームに関する。なお、本明細書におけるアクアドームは、細かなスノーパウダーが液体と共に封入されているスノードームのほか、スノーパウダーを収容していない、液体と装飾物を収容したドーム状の置物、種々の季節、種々の環境（水中、陸上、空中）を表現したドーム状の置物を含む。
【背景技術】
【０００２】
特許文献１には、ドーム内に収容した飾り（展示物）に発光ダイオード（ＬＥＤ）を埋め込み、透明液体と蓄光材入りの粒子状浮遊物とを封入したスノードームが開示されている。また、特許文献２には、光源を容器の外部（側面）に設けて、外部から展示物と浮遊物を照らすことが記載されている。特許文献３には、透明な基台の下面にＬＥＤ設置用凹部を設けたスノードームの容器が記載されている。
【先行技術文献】
【特許文献】
【０００３】
【特許文献１】登録実用新案第３１９０１８５号公報
【特許文献２】特開２０１２−１１８４８２号公報
【特許文献３】登録意匠第１５６０４６４号公報
【発明の概要】
【発明が解決しようとする課題】
【０００４】
特許文献１に開示されているスノードームは、液体内に収容した展示物にＬＥＤが埋め込まれているので、絶縁や配線の関係でＬＥＤを取り付けるのが煩雑である。また、ドーム内への装飾物の設置、とくに装飾物の接着作業が煩雑である。
【０００５】
特許文献２のように、光源を容器の側面に設けると光源の取り付け作業は容易であるが、鑑賞に適する方向が定められてしまう。しかも容器内を均一に照らすことができない。また、特許文献３のように透明な基台の下側に光源を配置すると、鑑賞者から光源が見えてしまうので、趣が損なわれる。
【０００６】
本発明は、装飾物の配列が比較的自由で、光源が目立たず、組み立てやすいアクアドーム用の容器を提供することを技術課題としている。さらに本発明は、観賞性が高く、組み立てが容易なアクアドームを提供することを第２の技術課題としている。
【課題を解決するための手段】
【０００７】
本発明のアクアドーム用の容器は、天板の下面に上向きに照射する光源が取り付けられる基台と、その基台に液密に嵌合されるカップ状の透明なドームと、基台上に配置され、上面に装飾物が取り付けられる透明の支持板とからなり、前記基台の天板の少なくとも前記光源と対応する部分が光透過性を有することを特徴としている。
【０００８】
このようなアクアドーム用の容器においては、前記基台が透明であり、前記支持板と基台の天板の間に、前記光源と対応する部分が透光性を有し、他の部分が不透明なシートが介在されているものが一層好ましい。その場合、シートの不透明な部分の上面側が光反射性を有するものが好ましい。また、前記支持板が、基台の天板に形成された穴に嵌入される、支持板と一体または別体の複数本のピンによって基台に対し着脱自在に取り付けられているものが好ましい。
【０００９】
また、前記いずれの場合も、前記ドームの下端の外周面または内周面に係合突起が設けられ、前記基台の対応する部位に、ドームを回転させることにより係合突起と係合する係合溝が形成されており、前記ドームの下端と基台の間に、円周方向にずれないようにシールリングが取り付けられているものが好ましい。その場合、前記基台の天板に複数の係止溝が形成され、前記シールリングがそれらの係止溝と嵌合する係止片を備えているものが一層好ましい。
【００１０】
本発明のアクアドームは、前述のいずれかのアクアドーム用の容器と、支持板に固定される装飾物と、ドームと基台とで囲まれる空間に充填される液体とからなることを特徴としている。このようなアクアドームは、前記装飾物が支持板に紫外線硬化樹脂によって接着されているものが好ましい。さらに前記光源が基台の裏面に紫外線硬化樹脂によって接着されているものが好ましい。
【発明の効果】
【００１１】
本発明のアクアドーム用の容器は、基台の天板の下面に上向きに照射する光源を取り付けることができ、それによりドーム内の液体を下方からスポットライトのように照らすことができる。そして光源は基台の天板の下側にあるので、目立たず、鑑賞者の興趣を殺ぐことがない。
【００１２】
また、支持板が透明であるので、紫外線硬化樹脂を塗布した装飾物を支持板上に載せ、紫外線ライト（ＵＶライト）の上に載置し、下面側から紫外線を照射することにより、装飾物を支持板にしっかり固定することができる。紫外線硬化樹脂は液体中でも接合強度が高いので、耐久性が高いアクアドームを製作することができる。
【００１３】
このようなアクアドーム用の容器において、前記基台が透明であり、前記支持板と基台の天板の間に、前記光源と対応する部分が透光性を有し、他の部分が不透明なシートが介在されている場合は、光源からの光が下側から上向きに照射される。そのため、照明効果が高く、幻想的な雰囲気を醸す。さらにシートにより天板の下側の光源や配線など、目障りな物を見えないように隠すことができる。
【００１４】
前記シートの不透明な部分の上面側が光反射性を有する場合は、ドームの内面などで反射した光がシートで反射し、ドーム内を一層明るく照らすことができる。
【００１５】
前記支持板が、基台の天板に形成された穴に嵌入される、支持板と一体または別体の複数本のピンによって基台に対し着脱自在に取り付けられている場合は、基台から取り外した支持板の上に装飾物を固定できるので作業が楽であり、固定した後、装飾物ごと支持板の全体を基台の上に取り付けることができる。そのため、組み立て作業が簡単になる。また、組み立てが容易になることにより、使用者が自らの好みで装飾物を選択し、好みに従って配列することで、独自のアクアドームを作成することができる。
【００１６】
前記ドームの下端の外周面または内周面に係合突起が設けられ、前記基台の対応する部位に、ドームを回転させることにより係合突起と係合する係合溝が形成されており、前記ドームの下端と基台の間に、円周方向にずれないようにシールリングが取り付けられている場合は、ドームを基台に取り付けるとき、シールリングがずれないので、長期にわたって液体の漏れを防ぐことができる。
【００１７】
前記基台の天板に複数の係止溝が形成され、前記シールリングがそれらの係止溝と嵌合する係止片を備えている場合は、ドームを回転させながら基台に取り付けるとき、シールリングがドームに追従しない。そのため、シールリングをより確実にずれないように保持することができる。
【００１８】
本発明のアクアドームは、前述の容器を採用しているので、観賞性が高く、組み立てが容易である。前記装飾物が支持板に紫外線硬化樹脂によって接着されている場合は、液体中、とくに分散剤などの薬剤を含む液体中でも接着剤の耐久性が高い。前記光源が基台の裏面に紫外線硬化樹脂によって接着されている場合は、耐久性が高い。
【図面の簡単な説明】
【００１９】
【図１】本発明のアクアドーム用の容器の一実施形態を示す斜視図である。
【図２】図１の容器の分解斜視図である。
【図３】図３ａは図１の容器の正面図、図３ｂは基台とドームの結合部を示す要部拡大図、図３ｃは図３ａのＣ−Ｃ線断面図である。
【図４】本発明のアクアドームの一実施形態を示す縦断面図である。
【図５】図１の容器のシールリングの要部斜視図である。
【図６】本発明のアクアドームの組み立て手順の一例を示す工程図である。
【発明を実施するための形態】
【００２０】
図１に示すアクアドームの容器１０は、内部に装飾物Ｓ（図４参照）と、アクアドーム専用の透明な液体Ｌとを充填しており、下面に光源Ｋ（図４参照）を設けている。容器１０は、円筒状の基台１１と、その上端に嵌合される上下を逆にしたカップ状のドーム１２と、基台１１の天板１３上に配置される支持板１４を主要な構成要素としている。さらに図２に示すように、基台１１とドーム１２の間をシールするシールリング１５と、支持板１４を基台の天板１３に固定するための副数本のピン１６とを備えている。
【００２１】
図２に示すように、ドーム１２は上部が半球状で、下部が円筒状であり、全体として上下逆のカップ状を呈している。このドーム１２は全体が透明な合成樹脂またはガラスによって形成したものであり、それにより内部に専用の液体と共に封入される装飾物Ｓ（図４参照）や、砂やマリンスノーに見立てたキラキラした粉体が降ってくるのを鑑賞することができる。ドーム１２の下端近辺の外周面には、係合突起１８が突設されている。係合突起１８はたとえば３カ所に等間隔で設けられている。
【００２２】
基台１１は、前述の天板１３と、その天板の外周を囲む円筒状の外周壁２１とを備えている。天板１３の下面中央からは、下向きに上下に短い円筒状の光源固定部材２２が突出している。天板１３は円形で、天板１３の外周面と外周壁２１の間にドーム１２およびシールリング１５を挿入する環状溝２３が設けられている。さらに図３ａおよび図３ｂに示すように、基台１１の外周壁２１の内周面には、外周壁２１を厚さ方向に浅く凹陥するＬ字状の係合溝２５が形成されている。係合溝２５は縦溝２６と横溝２７とからなる。縦溝２６の上端は上部に開放されており、段部２７ａの下面２７ｂ（横溝２７の上内壁）がドーム１２の下部外周に突設した係合突起１８と係合する。縦溝２６の上端が開放されているのは係合突起１８を通すためである。基台１１は、通常は透明であるが、少なくとも光源に対応する部分が透光性を有すればよい。透明な材料を採用する場合は、外壁などに塗装を施してもよい。
【００２３】
係合突起１８を縦溝２６に合わせてドーム１２を環状溝２３内に挿入し、回転させることにより、係合突起１８を段部２７ａの下面２７ｂと係合させてドーム１２と基台１１を一体化することができる。段部２７ａの下面２７ｂは、ドーム１２の回転によって軸方向下向きに引き付けるように傾斜させてもよい。横溝２７は、天板１３を貫通し、実際には天板を迂回して上下を連通し、その下端は天板下方に開放されている。このように横溝２７の下方が下端まで貫通しているのは、段部２７ａや下面２７ｂを形成する金型を下方向に抜くためである。後述するように、この横溝２７による天板の上下の連通はシールリング１５によってシールすることができる。
【００２４】
図３ｃおよび図４に示すように、天板１３の外周近辺に、３個の円柱状の凹部３０が形成されている。この凹部３０は前述のピン１６の基部（固定部１６ａ）を嵌合して固定するための穴であり、下側に突出している円柱状の突起３１の内側に形成されている。凹部３０は通常は下面側までは貫通していない。しかし成形のしやすさなどから、貫通させてもよい。その場合はピン１６でシールする。
【００２５】
ピン１６は図２に示すように、円柱状の押さえ部１６ａと、その押さえ部の下方に偏心して突出する固定部１６ｂとからなる。押さえ部１６ａは前述の支持板１４と、その下側に重ねる反射シート３２を基台１１に固定するものである。ピン１６の本数は３本が好ましいが、４本以上でもよく、場合により２本でもよい。ドーム１２に入れる液体は、水と、粘性を調整するためのグリセリンなどの粘性調整剤と、グリセリンを水中に分散させる分散剤とを混合した液である。そのため、ピン１６はシリコーンゴムなど、耐久性にすぐれたゴムまたは合成樹脂から形成する。
【００２６】
図４に示すように、基台１１の天板１３には、さらにドーム１２内に液体を入れるための注入口３３が形成されており、プラグ３４で塞がれている。プラグ３４もシリコーンゴムなどの液体Ｌに対して耐久性を有するゴムまたは合成樹脂から形成する。注入口３３は１個所でよいが、複数設けることもできる。
【００２７】
シールリング１５は断面円形ないし矩形のゴム製のリングである。液体に対する耐久性を向上させるため、シリコーンゴムが好ましい。前述のように、横溝基台１１の天板１３はドームの内外を仕切る隔壁であるが、横溝２７によって上下が連通している。この実施形態ではその横溝２７によって環状溝２３と並列の円弧状のスリット溝３５が形成されており、シールリング１５はそれらのスリット溝３５に嵌入される挿入片１５ａを備えている。
【００２８】
挿入片１５ａは、シールリング１５とは別個に設けることもできる。また、金型の構造などにより天板１３の上下が連通しない場合は、挿入片を設ける必要はない。ただし、天板１３を貫通させるほうが成形が容易である。そして挿入片１５ａをスリット溝３５に挿入する構成により、ドーム１２の下端を環状溝２３に挿入してシールリング１５にシール圧を与えながら回転させても、シールリング１５がずれにくいというメリットがある。挿入片１５ａの有無にかかわらず、シールリング１５を液密の接着剤で環状溝２３に接着するのが好ましい。
【００２９】
支持板１４は装飾物Ｓ（図４参照）を固定して、ドーム１２内に設置するためのベースであり、この実施形態では透明なガラスで形成した円板を採用している。装飾物Ｓは液体中でも接着力が維持される紫外線硬化樹脂によって支持板１４に固定される。ガラスに代えて透明な合成樹脂で形成されていてもよい。支持板１４の下方には、円板状の反射シート３２が重ねられる。
【００３０】
基台１１、ドーム１２、支持板１４は、透明な硬質の合成樹脂、たとえばポリカーボネート、アクリル樹脂などで構成することができる。反射シート３２としては、紙とアルミニウム箔の積層体が用いられる。紙は基材として機能し、アルミニウム箔は反射層として作用する。紙に代えて合成樹脂シートないしフィルムからなる基材を採用することもできる。アルミニウム箔に代えて、アルミ蒸着層などの他の反射層を採用することもでき、アルミニウム以外の金属箔や蒸着層を採用することもできる。反射シートとして、通常の鏡を採用することもできる。反射シート３２の中央部は光源の光を通すことができるように、貫通孔３６（図２参照）を設けている。透明な基材を用いる場合は反射層を設けず、透明なままにしておく。鏡を採用する場合も裏面の銀メッキ層を設けない透明部分を残す。
【００３１】
基台１１の下面の光源固定部２２に装着する光源Ｋ（図４参照）は、高輝度型発光ダイオード（ＬＥＤ）などの小型で明るく、発熱量の少ない光源を用いるのが好ましい。ただし豆電球などの他の光源を用いることもできる。光源Ｋが発生する熱はドーム１２内の液体Ｌを通じて周囲の大気が冷却する。基台１１の下には光源ＫのＯＮ／ＯＦＦを制御する制御装置（図示しない）が配置されている。
【００３２】
前述のアクアドームの容器１０は、ドーム１２に入れる水以外の液体および部品と組み合わせて組み立てセットとして販売される。支持板１４に固定する装飾物Ｓは、使用者の好みで組み合わすことができるように、容器のセットとは別にバラ売りされる。水族館や動物園、その他のイベント会場で入場者に制作を体験させるようにしてもよい。
【００３３】
上記のアクアドームの容器１０を組み立てるには、図６の第１工程Ｓ１に示すように、アクアドームのテーマに合った魚やウミガメなどの水生動物、貝殻、水草など、あるいは鳥、樹木、花、陸上の動物、昆虫など、好みの装飾物Ｓを支持板１４の上面に接着する。接着には紫外線硬化樹脂ないし紫外線硬化型接着剤を用いる。装飾物Ｓの下端に紫外線硬化型樹脂を塗布して支持板１４の上に載置し、支持板１４の下面からＵＶライト３７を照射する。魚などの水中を泳ぐ生物あるいは空中を飛ぶ鳥などの生物を載置する場合は、透明な棒３８を介して支持板１４に取り付ける。液体中では透明な棒は見えないので、水中あるいは空中を泳いだり飛んだりしているように見える。
【００３４】
つぎに支持板１４ごとＵＶライト３７の上に乗せて、透明な支持板１４を通して所定時間紫外線を当て、紫外線硬化樹脂あるいは紫外線硬化型接着剤を硬化させる（第２工程Ｓ２）。装飾物Ｓの紫外線硬化樹脂を硬化させている間に、基台１１の光源固定部２２に紫外線硬化樹脂で発光ダイオードなどの光源Ｋを接着する。このとき、基台１１の上面側からＵＶライト３７を当てる（第３工程Ｓ３）。装飾物Ｓより光源Ｋを先に固定してもよい。
【００３５】
いずれの場合もＵＶライト３７の照射時間は１０分以上が好ましい。硬化が完了した後、支持板１４の下面に反射シート３２を重ね、ピン１６を用いて基台１１の上に装着する（第４工程Ｓ４）。基台１１の環状溝２３内にシールリング１５を圧入し、さらにシールリング１５にシール圧を生じさせるように加圧しながらドーム１２を基台１１に取り付ける（第５工程Ｓ５）。ドーム１２は前述のように、環状溝２３に嵌合した後、回転させて係合突起１８を係合溝２５に係合させる（図３ｂ参照）。
【００３６】
ついで上下を逆にし、注入口３３から予め混合しておいた液体Ｌをドーム１２内に充填する（第６工程Ｓ６）。液体はたとえば水１５００〜１９００ｃｃ、グリセリン２００〜４００ｃｃ、分散剤３０〜５０ｃｃなどを混合して準備する。充填は空隙を残さないようにするのが好ましい。液体Ｌを充填するとき、あるいは充填する前に、砂やマリンスノー、あるいは雪に見せかけるキラキラした粉体をドーム１２内に入れるようにしてもよい。ついで基台１１に固定したＬＥＤなどの光源Ｋの配線を行い、上下を元に戻す。これによりアクアドームが完成する。
【００３７】
上記のように容器１０およびそれを用いたアクアドームＡＤ（図４参照）は、組み立てが簡単であり、耐久性が高い。また、中央下から照らすので、ドーム１２の内部が明るい。さらに反射シート３２によって光が反射されるので、一層明るく、見栄えがよい。
【００３８】
前記実施形態では装飾物Ｓを紫外線硬化樹脂で支持板１４に固定しているが、液体中で接着硬化が維持される強力な耐水ボンド、とくに２液混合型のボンドなどを採用することもできる。また、前記実施形態では独立したピン１６を採用しているが、ピン１６は支持板１４に接合してもよい。さらに支持板１４と一体に成形することもできる。前記実施形態ではカップ状のドーム１２を採用しているが、球型のドームを採用することもできる。前記実施形態では、係合突起１８と係合溝２５の係合によってドーム１２を基台１１に取り付けているが、ネジ込み式にすることも可能である。
【符号の説明】
【００３９】
ＡＤ  アクアドーム
Ｓ  装飾物
Ｌ  液体
Ｋ  光源
１０  容器
１１  基台
１２  ドーム
１３  天板
１４  支持板
１５  シールリング
１５ａ  挿入片
１６  ピン
１６ａ  押さえ部
１６ｂ  固定部
１８  係合突起
２１  外周壁
２２  光源固定部
２３  環状溝
２５  係合溝
２６  縦溝
２７  横溝
２７ａ  段部
２７ｂ  下面
３０  凹部
３１  円柱状の突起
３２  反射シート
３３  注入口
３４  プラグ
３５  スリット溝
３６  貫通孔
３７  ＵＶライト
３８  透明な棒
Ｓ１  第１工程
Ｓ２  第２工程
Ｓ３  第３工程
Ｓ４  第４工程
Ｓ５  第５工程
Ｓ６  第６工程
【図１】
2019013360.tif 000003
【図２】
2019013360.tif 000004
【図３】
2019013360.tif 000005
【図４】
2019013360.tif 000006
【図５】
2019013360.tif 000007
【図６】
2019013360.tif 000008